(57)【要約】【課題】義歯安定剤を用いて義歯を安定させる際に、補助シートを用いて義歯安定剤の粘着力を強化し、かつ取外しの際安定剤を歯茎表面から完全に引剥がして残留物が残らないようにして取外し後の不快感を取除くことができる義歯安定剤用補助シートを得る。【解決手段】義歯安定剤用補助シート１は、ガーゼ布を馬蹄形に切断して形成され、布は所定メッシュ孔の多孔材として木綿のガーゼが用いられている。補助シート１には、その片面に市販の安定剤が塗布され、義歯床３に付着させて口腔内に装着時に上下歯を噛合わせる力で片面に塗布された安定剤が反対面に透過して歯茎粘膜に強固に粘着される。取外しの際補助シート１を介して安定剤が歯茎から引剥がされるから、残留物が残らない。【選択図】　図２
2004141553.tif 000002
【特許請求の範囲】
【請求項１】
義歯床の口腔粘膜への接合面外形に対応する形状にガーゼを切断し、ガーゼの繊維材料として溶液状の義歯安定剤が義歯に加えられる圧力で片面から他面へ透過し得る所定以上の大きさの空隙を有する多孔材を用いた義歯安定剤用補助シート。
【請求項２】
前記接合面外形に対応する形状を馬蹄形としたことを特徴とする請求項１に記載の義歯安定剤用補助シート。
【請求項３】
前記多孔材に木綿材を用いたことを特徴とする請求項１又は２に記載の義歯安定剤用補助シート。
【請求項４】
請求項１乃至３のいずれかに記載の義歯安定剤用補助シートと、その片面に塗布される義歯安定剤とを組合わせてなる義歯安定剤。
【発明の詳細な説明】
【０００１】
【発明の属する技術分野】
この発明は、口腔粘膜表面に義歯床を義歯安定剤により固定する際に安定剤の固定力を増し、かつ安定剤を剥がれ易くするための安定剤用補助シートに関する。
【０００２】
【従来の技術】
周知のように、義歯は義歯床を口腔粘膜表面の形状に合せて隙間なく当接して装着できるように調整されるが、年齢が上るにつれて顎提の変形などにより当接面の不適合状態が生じたり、又当接面が互いに隙間なく当接していても噛合いの際の何らかのはずみでわずかな隙間が生じることがある。このため、このような隙間が生じないように義歯安定剤が用いられる。
【０００３】
現在市販されている義歯安定剤は、大別すると密着タイプと粘着タイプとがある。密着タイプは、義歯床と口腔粘膜表面の間を安定剤で埋めて義歯床と粘膜表面との間に隙間が生じないよう密着させる方式のものであり、ゴム状でクッション性があるため、咀嚼、咬合時に歯茎、粘膜への刺激、あるいは疼痛を緩和できる。又粘着タイプは、水溶性の粘着性高分子を主剤とし、唾液を吸収して粘着性を生じさせ、義歯床を粘膜表面に貼り付ける形式のものである。
【０００４】
上記義歯安定剤に対しては、人体に無害であること、付着力に優れ長時間付着力が持続すること、取外しの際に口蓋及び義歯床から剥離し易いことなどの種々の特性が要求され、その特性から密着タイプの安定剤が多く使用されている。密着タイプの安定剤は、酢酸ビニール、エタノールを主成分とするものが多く、クッション性のあるゴムペースト状の製剤である。ポリ酢酸ビニールを主成分とする安定剤の一例として、特開平８−９９８１６号公報（公報１）に開示された安定剤組成物が知られている。エタノールを配合した安定剤の一例として、特開２００２−５８６８５号公報（公報２）による安定剤組成物が公知である。
【０００５】
【発明が解決しようとする課題】
ところで、上記各公報に開示されたあるいは実際に市販されている義歯安定剤組成物では、付着力がよくかつその付着力が長時間続き、又取外しの際に剥離し易いという互いに相反する特性、及び溶剤として配合されるエタノールなどの配合剤の刺激感を緩和することなどの要求に対して組成物に含まれる主成分、配合剤を種々に組合わせることにより要求される条件に適合させるようにしている。しかし、組成物の成分を種々に組合わせるだけでは、上記の相反する条件を全て完全に満足させることができるような安定剤は得られていないのが実情であり、何らかの不都合がそれぞれの安定剤には存在する。
【０００６】
上記組成物の成分の組合わせだけで種々の不都合、特に付着力が強く、長持ちし、剥離し易いという条件を満足させるのではなく、他の要素を付加して対応しようとする試みが提案されており、その一例としての安定剤が既に市販されている。この安定剤は、通常の密着タイプの安定剤の組成物に海草から抽出した成分を固定剤として含ませ、この安定剤をシートの両面に塗布し、乾燥させたものである。シートは目の細い不織布が用いられ、使用する前に水に短く浸した後義歯床にはめ込み、水と口腔内の唾液で安定剤が溶けて口腔粘膜に接着される。
【０００７】
しかし、このシート型安定剤は、安定剤に対して目の細い透過性のない布の両面に塗布して使用することを前提としているため、取外しの際に口腔内面の歯茎に接する側の安定剤は、やはり微量に歯茎側に残留し、不快感が残る。
【０００８】
この発明は、上記の義歯安定剤の問題点に留意して、補助シートを用いて義歯安定剤の粘着力を強化し、かつ取外しの際安定剤を歯茎表面から完全に引剥がして残留物が残らないようにして取外し後の不快感を取除くことができる義歯安定剤用補助シートを提供することを課題とする。
【０００９】
【課題を解決するための手段】
この発明は、上記の課題を解決する手段として、義歯床の口腔粘膜への接合面外形に対応する形状にガーゼを切断し、ガーゼの繊維材料として溶液状の義歯安定剤が義歯に加えられる圧力で片面から他面へ透過し得る所定以上の大きさの空隙を有する多孔材を用いた義歯安定剤用補助シートとしたのである。
【００１０】
上記構成の補助シートは義歯安定剤の作用を補助する補助材として利用される。この補助シートを使用する場合、義歯安定剤は片面にのみ塗布して使用される。義歯安定剤が塗布された面を義歯床に当接するように当てて装着する。安定剤はシートに数点の位置に塗布したものを義歯床に対して広げシート全体が安定剤でカバーされて接着されるのが好ましい。
【００１１】
シートを安定剤で義歯床に装着した後義歯を口腔内に挿入し、上下の歯茎で義歯床を押圧してシートの安定剤が義歯床と当接する面と反対側に安定剤を透過させ、透過した安定剤を歯茎粘膜に粘着させる。義歯を口腔内に入れた後は安定剤が唾液を吸収することにより粘着力が出るため、シートを透過した安定剤が歯茎粘膜に強く粘着する。これにより義歯が歯茎に安定して固定される。
【００１２】
義歯を取外す際には、義歯床を歯茎から引離すようにすると、義歯床に付着した安定剤がシートを介して一体化している、シートより歯茎側へ透過した部分も一緒に引剥がされるため、歯茎側に安定剤が残留することなく、微小部分も全て完全に取除かれる。このため、安定剤が残留してこれが少しずつ唾液で溶けることにより口腔内に残る不快感がなくなる。又、安定剤は口腔内に装着の際粘着性の強、弱にかかわらず粘着力が増大し、義歯を安定して固定することができ、長時間の使用も可能となる。
【００１３】
【実施の形態】
以下、この発明の実施の形態について図面を参照して説明する。図１は実施形態の義歯安定剤用補助シートの外観斜視図である。１はこの実施形態の補助シートであり、後述する義歯床の口腔内面の歯茎と接触する面の形状に合せてガーゼを馬蹄形にカットしたものである。切欠き２は、補助シート１の開き状態を義歯床に合せて調整できるように設けられており、形状は図示のように長円形の半部分のような形でなくても、例えばＶ字状にカットしてもよい。
【００１４】
ガーゼは木綿、合成繊維を用いて編成されたもの、あるいは不織布を用いてもよいが、ガーゼの繊維間隙間が７〜６０メッシュ程度の大きさで、義歯安定剤の流動性物質に対して透過性のある多孔性材料でなければならない。厚さは一般のガーゼと同等であればよい。この多孔性材料の例として次のようなものが挙げられる。
・ナイロンガーゼ　　１００％　　６０メッシュ
・綿糸ガーゼ荒目　　１００％　　２５メッシュ
・綿糸ガーゼ細目　　１００％　　４５メッシュ　＃
ガーゼとしては上記ナイロンガーゼ、綿糸ガーゼの他にレイヨン糸のガーゼも含まれる。又、ＰＰ（ポリプロピレン）、ＰＥ（ポリエチレン）のような樹脂系材料のスパンレース不織布（水圧で繊維をからめた不織布）の有孔材も利用できる。
・スパンレース不織布
レイヨン　　１００％　　５０ｇ／ｍ２　　　７メッシュ
レイヨン　　１００％　　５０ｇ／ｍ２　　１３メッシュ
レイヨン　　１００％　　３５ｇ／ｍ２　　２２メッシュ　＃
レイヨン　　１００％　　３０ｇ／ｍ２　　２０メッシュ　＃
なお、衛生面、肌触りなどから上記のうち＃印を付したものが最も好ましい。
【００１５】
上記構成の補助シート１は、一般に市販されている義歯安定剤を片面に塗布して使用される。図２の（ａ）図に示すように、上記補助シート１を使用する際には、まず義歯安定剤の流動性物質４をチューブ５から押し出して、補助シート１の片面に適当な複数箇所（図示の例では３箇所）に塗布する。なお、シート１には裏表の区別はなく、いずれか片方の面であればよい。
【００１６】
次に、この補助シート１を反転させ流動性物質４が塗布されている面を義歯床の歯茎に接する面に向けて当接、付着させ、その際流動性物質４をできるだけ広範囲に広げる。図２の（ａ）図は上義歯床、（ｂ）図は下義歯床に補助シート１を付着させた例を示す。
【００１７】
上記のように補助シート１を義歯床に付着させた状態で、図３に示すように、口腔内に義歯床を挿入して上下のあごを閉じ義歯床が歯茎に密着するよう圧力を加える。このとき、ガーゼに塗布されている流動性物質は、上記圧力を加えたことにより補助シートのメッシュ状細孔から反対側へ通過し、歯茎粘膜に付着する。これにより義歯床はしっかりと歯茎に固定され、安定して義歯として使用できる。
【００１８】
義歯は清潔さを保持するため、毎日取り外されるが、この取外しの際義歯床３を引き抜くと、安定剤が歯茎から引剥がされるが、安定剤は補助シート１を介して歯茎に密着しているため、安定剤の全量が補助シート１と共に歯茎から引剥がされ、歯茎に安定剤の一部が残留することがなく、完全に一度の処理で安定剤を歯茎から取り除くことができる。このため、安定剤の微細片が残留することがなく、使用後の不快感が完全に消える。
【００１９】
なお、市販されている義歯安定剤は、大別するとその接着力が強、中、弱の三種のものが販売されている。例えば、接着力の比較的弱いものとして、メトキシエレン無水マレイン酸重合体塩、白色ワセリン、カルボキシメチルセルロースナトリウムを主成分とする安定剤「新ポリグリップ」（入れ歯安定剤）の商品名（発売元　アース製薬株式会社）で販売されているものがある。中程度の接着力の安定剤として、メトキシエチレン無水マレイン酸重合体塩、白色ワセリン、カルメロースナトリウムを主成分とする安定剤「新ポリグリップＳ」（入れ歯安定剤）の商品名（発売元　アース製薬株式会社）で販売されているものがある。又、強い接着力の安定剤として、酢酸ビニル樹脂を主成分とする安定剤「タフグリップ」（総入れ歯安定剤）の商品名（製造元　仙台小林製薬株式会社）で販売されているものがある。
【００２０】
以上のような接着力の強、中、弱のいずれであっても、この実施形態の補助シート１と共に使用する場合は、義歯を長時間安定して使用することができる。上記いずれの安定剤も、口腔内に装着されると唾液を安定剤が吸収することにより粘着力を発揮するタイプのものであるが、その主成分の性質によって粘着力の強度が異なる。粘着力が強いもの、中程度のものは、使用中の安定感が高いが、取外しの際どうしても微量の残留物が歯茎に残り、不快感が生じる。
【００２１】
粘着力の弱いものは、取外しの際に残留物が残らないが、使用中の粘着力が弱いため、特に長時間使用時の終り頃には粘着力が低下し安定性が損なわれる。従って、粘着力の強、中、弱の特性のいずれを選ぶかは使用者の好みによって異なる。しかし、この実施形態の補助シート１を用いて義歯を使用する場合は、粘着力の弱いものでも、シートのガーゼメッシュを通過した流動物質同士の粘着力が強化され、従って補助シート１なしでは安定感が低いものに対して、補助シート１を使用すれば安定して義歯を使用できる。又、義歯安定剤の使用量が少なくて済み、節約できるという利点もある。
【００２２】
なお、上記実施形態では、補助シート１を馬蹄形としたが半円状のままで中央に切込線が入れられたものなど種々の形状を採用することができる。又、材料としては安定剤の流動性物質が通過し得る多孔材であれば、布以外のどんな材料でもよく、ただし柔軟性が必要である。安定剤は補助シート１の片面に塗布することが重要であり、両面に塗布すると、取外しの際に歯茎粘膜に微小な残留物が残る可能性が高い。
【００２３】
【発明の効果】
以上、詳細に説明したように、この発明の補助シートは、ガーゼを歯茎に当接する義歯床面の形状に対応する所定形状に切断し、ガーゼの材料は所定メッシュ以上の大きさの空隙を有する多孔性材料として安定剤の流動物質を透過し得るものとしたから、そのシートの片面に安定剤を塗布して義歯床に接着し、この義歯床を歯茎に当接させ、その際透過する安定剤で義歯床を歯茎粘膜に接着するようにしたから、安定剤は透過されて歯茎に接着されることにより接着力が強化され、安定した義歯を固定することかでき、かつ取外しの際はシートを義歯床と共に引剥がすことにより、完全に取除くことができ、残留物による不快感を解消できるという顕著な効果を奏する。
【図面の簡単な説明】
【図１】実施形態の義歯安定剤用補助シートの外観斜視図
【図２】同上の補助シートの使用説明図
【図３】使用時の口腔断面図
【符号の説明】
１　義歯安定剤用補助シート
２　切欠き
３　義歯床
４　流動性物質
５　チューブ
【図１】
2004141553.tif 000003
【図２】
2004141553.tif 000004
【図３】
2004141553.tif 000005